(57)【特許請求の範囲】
【請求項１】
一対の側板間に複数の枠材を架設してフレーム体を形成すると共にフレーム体の少なくとも上面と前面と下面とに外面板を取付けて構成したシャッタボックスにおいて、シャッタボックスの下面にシャッタを出し入れするための出し入れ用開口部を形成し、少なくともシャッタボックス内の背面と上面とのなすコーナ部近傍と、前面と上面とのなすコーナ部近傍と、出し入れ用開口部近傍とに枠材を配置し、出し入れ用開口部近傍の枠材と、前面と上面とのなすコーナ部近傍に配置した枠材とを各枠材の長手方向の略中間部分において前面の外面板及び下面の外面板の内側に沿うような略Ｌ状をした振動減衰用の連結材により一体に連結して成ることを特徴とするシャッタボックス。
【請求項２】
振動減衰用の連結材を外面板に固着具により固着して成ることを特徴とする請求項１記載のシャッタボックス。
【発明の詳細な説明】
【０００１】
【発明の属する技術分野】
本発明は、シャッタ雨戸等のシャッタを収納するためのシャッタボックスに関するものである。
【０００２】
【従来の技術】
従来から図８に示すようなシャッタボックス５が知られている。このシャッタボックス５は一対の側板１間に複数の枠材２を架設してフレーム体３を形成すると共にフレーム体３の少なくとも上面と前面と下面とに外面板４を取付けて構成してあり、シャッタボックス５の下面にはシャッタ９を出し入れするための出し入れ用開口部６が形成してあり、また、シャッタボックス５内の背面と上面とのなすコーナ部近傍と、前面と上面とのなすコーナ部近傍と、出し入れ用開口部６近傍とに枠材２を配置してある。ここで、シャッタボックス５内の背面と上面とのなすコーナ部近傍と、前面と上面とのなすコーナ部近傍と、出し入れ用開口部６近傍とに枠材２を配置したのはシャッタボックス５の形状を確保し且つ外面板４を確実に支持するためには最低上記の３箇所には枠材２が必要であり、このように最低必要な箇所にのみ枠材２を配設することで、部材点数を削減してコストダウンを図るとともにシャッタボックス５の軽量化を図るようにしてある。
【０００３】
上記の構成のシャッタボックス５内にはシャッタ巻き取り装置１１が内装してあり、このシャッタ巻き取り装置１１は側板１に固定してある。シャッタ巻き取り装置１１のドラム１１ａにはシャッタ９が巻装してあり、シャッタボックス５の下面に形成した出し入れ用開口部６からシャッタ９を下方に引き出したり、あるいは上方に引き上げてドラム１１ａに巻き取るようにしてある。
【０００４】
上記の構成のシャッタボックス５は建物の外壁１８に設けた窓１９の上方の外壁１８外面に取付け金具等を用いて取付けられるものであり、上記のようにシャッタボックス５の下面に形成した出し入れ用開口部６からシャッタ９を下方に引き出すことで外壁１８に設けた窓１９を覆ったり、あるいはシャッタ９を上方に引き上げてシャッタボックス５内に収納することでシャッタ９により窓１９を開放したりするようになっている。
【０００５】
ところで、シャッタ９を上方に引き上げた場合、シャッタ９の下端部がシャッタボックス５内に巻き込まれないようにシャッタ９の両端部をガイドするガイドレールの上端部の出し入れ用開口部６近傍にはストッパ１０が設けてあり、シャッタ９を上方に引き上げるとシャッタ９の下端部がストッパ１０に当たるようになっている。
【０００６】
このようにシャッタ９を上方に引き上げてシャッタの下端部がストッパ１０に当たると、上記シャッタ９の下端がストッパ１０に衝突した際の衝撃が出し入れ用開口部６近傍に配置した枠材２に作用し、出し入れ用開口部６近傍に配置した枠材２が振動して振動音が発生する。ここで、窓１９の横巾が短いので窓１９を遮蔽するシャッタ９の横巾が短い場合には枠材２が短くてシャッタ９の下端がストッパ１０に衝突しても枠材２があまり振動せず、したがって振動音は気にならないが、窓１９の横巾が長くてシャッタ９の横巾が長くなると、出し入れ用開口部６近傍に配置した枠材２が長くなるのでシャッタ９の下端がストッパ１０に衝突すると該出し入れ用開口部６近傍に配置した枠材２が振動して振動音を発生し、商品価値が低下するという問題がある。
【０００７】
【発明が解決しようとする課題】
本発明は上記の点に鑑みてなされたものであり、出し入れ用開口部近傍に配置した枠材が長いものであっても簡単な構成で振動音の発生を抑制でき、しかも、振動音の発生を抑制するための部材費が低減でき、また、全体の重量もできるだけ重くならないようにできるシャッタボックスを提供することを課題とするものである。
【０００８】
【課題を解決するための手段】
上記課題を解決するために本発明に係るシャッタボックスは、一対の側板１間に複数の枠材２を架設してフレーム体３を形成すると共にフレーム体３の少なくとも上面と前面と下面とに外面板４を取付けて構成したシャッタボックス５において、シャッタボックス５の下面にシャッタ９を出し入れするための出し入れ用開口部６を形成し、少なくともシャッタボックス５内の背面と上面とのなすコーナ部近傍と、前面と上面とのなすコーナ部近傍と、出し入れ用開口部６近傍とに枠材２を配置し、出し入れ用開口部６近傍の枠材２ａと、前面と上面とのなすコーナ部近傍に配置した枠材２ｂとを各枠材２ａ、２ｂの長手方向の略中間部分において前面の外面板４及び下面の外面板４の内側に沿うような略Ｌ状をした振動減衰用の連結材７により一体に連結して成ることを特徴とするものである。
【０００９】
このような構成とすることで、シャッタ９を上方に引き上げた際にシャッタ９の下端部が出し入れ用開口部６部分に設けたストッパ１０に衝突した際に該衝撃力が出し入れ用開口部６近傍に配置した枠材２ａにかかるが、この出し入れ用開口部６近傍に配置した枠材２ａに作用した衝撃力を枠材２ａの長手方向の略中間部分において振動減衰用の連結材７及び連結材７により一体に連結した前面と上面とのなすコーナ部近傍に配置した枠材２ｂに伝えて分散して支持でき、これにより出し入れ用開口部６近傍に配置した枠材２ａに作用した衝撃力を枠材２ａが長いものであっても振動を減衰させて振動音を抑制できるものである。また、振動減衰用の連結材７が前面の外面板４及び下面の外面板４の内側に沿うような略Ｌ状をしていることで、シャッタボックス５内へのシャッタ巻き取り装置１１の内装及びシャッタ９の巻き取りに支障が生じないものである。更に、シャッタボックス５内の背面と上面とのなすコーナ部近傍と、前面と上面とのなすコーナ部近傍と、出し入れ用開口部６近傍とに配置した枠材２のうち、出し入れ用開口部６近傍の枠材２ａと、前面と上面とのなすコーナ部近傍に配置した枠材２ｂとを振動減衰用の連結材７により一体に連結することで、振動減衰用の連結材７は振動を減衰するのに必要な出し入れ用開口部６近傍の枠材２ａと、前面と上面とのなすコーナ部近傍に配置した枠材２ｂとの連結でよく、振動音の発生を防止するための部材費が低減でき、また、全体の重量もできるだけ重くならないものである。
【００１０】
また、振動減衰用の連結材７を外面板４に固着具８により固着することが好ましい。このような構成とすることで、出し入れ用開口部６近傍に配置した枠材２ａに作用した衝撃力を振動減衰用の連結材７を介して外面板４においても分散して支持させることができ、出し入れ用開口部６近傍に配置した枠材２ａの振動をより減衰させることができるものである。
【００１１】
【発明の実施の形態】
以下、本発明を添付図面に示す実施形態に基づいて説明する。
【００１２】
シャッタボックス５は、左右に配置した一対の側板１間に複数の枠材２を架設して図７に示すようなフレーム体３を形成し、このフレーム体３の少なくとも上面と前面と下面とに図１に示すように外面板４を取付けて構成してある。シャッタボックス５の下面の後部側は開口していて出し入れ用開口部６となっている。
【００１３】
側板１は金属板により形成してあり、また、枠材２も金属により形成してある。上記左右に配置した一対の側板１間に架設する複数の枠材２は図１に示すように少なくともシャッタボックス５内の背面と上面とのなすコーナ部近傍と、前面と上面とのなすコーナ部近傍と、出し入れ用開口部６近傍とに配置してある。すなわち、図１に示す実施形態においては、枠材２としては、シャッタボックス５内の背面と上面とのなすコーナ部近傍に配置した枠材２ｃと、前面と上面とのなすコーナ部近傍に配置した枠材２ｂと、出し入れ用開口部６近傍に配置した枠材２ａとの３本があり、各枠材２ａ、２ｂ、２ｃの両端部はそれぞれ側板１に固着してある。
【００１４】
上記枠材２のうち出し入れ用開口部６近傍の枠材２ａと、前面と上面とのなすコーナ部近傍に配置した枠材２ｂとを各枠材２ａ、２ｂの長手方向の略中間部分において前面の外面板４及び下面の外面板４の内側に沿うような図６に示す略Ｌ状をした振動減衰用の連結材７により一体に連結してある。連結材７と各枠材２ａ、２ｂとはリベットのような固着具８により固着してある。
【００１５】
外面板４は固定外面板４ａと着脱用外面板４ｂとの２種類があり、固定外面板４ａは断面略Ｌ状をしていて図１に示すようにフレーム体３の上面と、前面の上部とを覆うように被せられ、側板１に突設した固定片１２及び前面と上面とのなすコーナ部近傍に配置した枠材２ｂとに支持させて固着具８により固着してある。上記固定外面板４ａの一端部である下端部には略レ字状をした係止片１４が設けてある。ここで、係止片１４を設けた側の固定外面板４ａの縦片の下端部付近が略Ｌ状をした振動減衰用の連結材７にビスのような固着具８により固着してある。
【００１６】
一方、着脱用外面板４ｂは断面略Ｌ状をしていて一端部である上端部に逆レ字状をした被係止片１５が設けてあり、図１に示すようにフレーム体３の前面の下部と下面の前部とを覆うように被せられ、図４に示すように被係止片１５を固定外面板４ａの係止片１４に着脱自在に係止すると共に、他端部をビスのような固着具８により出し入れ用開口部６近傍の枠材２ａに着脱自在に固着してある。この場合，着脱用外面板４ｂは振動減衰用の連結材７を介してビスのような固着具８により固着してあり、この結果、着脱用外面板４ｂは振動減衰用の連結材７及び出し入れ用開口部６近傍の枠材２ａに固着されることになる。シャッタボックス５の下面の着脱用外面板４ｂの後端よりも後方部分が出し入れ用開口部６となっている。したがって、出し入れ用開口部６近傍の枠材２ａは出し入れ用開口部６の前縁部に位置している。
【００１７】
側板１の背面側の端部には引っ掛け片１６及び固定片１７が設けてある。また、本実施形態においては、シャッタボックス５の背面は外面板４で覆うことなく開放している。
【００１８】
シャッタボックス５内にはシャッタ巻き取り装置１１が内装してあってシャッタ巻き取り装置１１は側板１に固定してある。シャッタ巻き取り装置１１にはドラム１１ａが設けてあり、ドラム１１ａにシャッタ９が巻装してあり、シャッタボックス５の下面に形成した出し入れ用開口部６からシャッタ９を下方に引き出したり、あるいは上方に引き上げてドラム１１ａに巻き取るようにしてある。なお、シャッタ巻き取り装置１１は電動により巻き取るタイプのものでも、ばね材等により巻き取るものであってもよく、巻き取り方式については特に限定されないものである。
【００１９】
上記の構成のシャッタ巻き取り装置１１を内装したシャッタボックス５は建物の外壁１８に設けた窓１９の上方の外壁１８の外面に取付け金具２０等を用いて取付けられるものである。すなわち、外壁１８の外面側に引っ掛け部２１を有する取付け金具２０を固着具８により取付け、シャッタボックス５の背面側に設けた引っ掛け片１６を取付け金具２０の引っ掛け部２１に引っ掛け、この状態で固定片１７を外壁１８に固着具８により固着することで取付けるものである。この場合、図１に示すように、取付け金具２０の下端部の引っ掛け部２１と引っ掛け片１６とを更に固着具８により固着するようにしてもよく、この場合の固着具８の固着作業はシャッタボックス５の下面の後部の出し入れ用開口部６から行うものである。
【００２０】
外壁１８の外面の窓１９の左右両側方位置には上下方向にガイドレール２２が取付けられ、ガイドレール２２の上端開口部がシャッタボックス５の出し入れ用開口部６の左右両端部内に位置していて、シャッタ９の左右両端部（巾方向の両端部）が上記ガイドレール２２にはめ込み自在となっていて、シャッタ９を出し入れ用開口部６から下方に引き下ろすとシャッタ９の両端部がガイドレール２２にガイドされて下方に移動して窓１９を覆うようになっている。
【００２１】
シャッタ９の下端部には前後巾の広い幅広部２３が設けてある。一方、出し入れ用開口部６の側端部のガイドレール２２の前側の上部付近にはストッパ１０が設けてあり、このストッパ１０の上面部は出し入れ用開口部６近傍の枠材２ａの下面に支持してある。
【００２２】
したがって、シャッタ９を引き上げると、シャッタ９はその大部分がシャッタ巻き取り装置１１のドラム１１ａに巻き取られてシャッタボックス５内に収納されるが、シャッタ９の下端部の巾広部２３がストッパ１０に当たって、シャッタ９の下端がシャッタボックス５内に巻き込まれないようになっている。このようにシャッタ９を上方に引き上げた際にシャッタ９の下端部がガイドレール２２の上部の出し入れ用開口部６部分に設けたストッパ１０に下方から衝突し、この衝撃力はストッパ１０を介して出し入れ用開口部６近傍の枠材２ａに作用することになるが、出し入れ用開口部６近傍の枠材２ａに作用した衝撃力は、この出し入れ用開口部６近傍の枠材２ａの長手方向の略中間部分において振動減衰用の連結材７と連結材７より一体に連結した前面と上面とのなすコーナ部近傍に配置した枠材２ｂに伝えられて分散して支持されるものであり、これにより出し入れ用開口部６近傍に配置した枠材２ａが衝撃力により振動するのを長手方向の略中間部分で減衰させ、枠材２ａが長いものであっても振動音を確実に抑制することができるものである。
【００２３】
この場合、振動減衰用の連結材７を外面板４に固着具８により固着してあるので、出し入れ用開口部６近傍に配置した枠材２ａに作用した衝撃力を振動減衰用の連結材７を介して外面板４においても分散して支持させることができるものであり、出し入れ用開口部６近傍に配置した枠材２ａの振動をより減衰させることができるものであり、特に、添付図面に示す実施形態のように固定用外面板４ａの縦片を振動減衰用の連結材７にビスのような固着具８により固着することで、シャッタボックス５の上下方向（縦方向）の剛性が増し、シャッタ９の下端部がストッパ１０に下方から衝突する衝撃力を固定用外面板４の縦片によって確実に支持できるものである。
【００２４】
上記のように出し入れ用開口部６近傍の枠材２ａと、前面と上面とのなすコーナ部近傍に配置した枠材２ｂとを各枠材２ａ、２ｂの長手方向の略中間部分において振動減衰用の連結材７により一体に連結することで、出し入れ用開口部６近傍の枠材２ａが衝撃力で振動するのを抑制することができるのであるが、振動減衰用の連結材７は前面の外面板４及び下面の外面板４の内側に沿うような略Ｌ状をしているので、シャッタボックス５内へのシャッタ巻き取り装置１１の内装及びシャッタ９の巻き取りに支障がないものである。また、シャッタボックス５内の背面と上面とのなすコーナ部近傍と、前面と上面とのなすコーナ部近傍と、出し入れ用開口部近傍とに配置した枠材２ａ、２ｂ、２ｃのうち、出し入れ用開口部６近傍の枠材２ａと、前面と上面とのなすコーナ部近傍に配置した枠材２ｂとを略Ｌ状をした振動減衰用の連結材７により一体に連結することで、上記のように出し入れ用開口部６近傍の枠材２ａの振動を減衰して振動音を気にならない程度に抑制できるので、振動減衰用の連結材７は振動を減衰するのに必要な出し入れ用開口部近傍の枠材２ａと、前面と上面とのなすコーナ部近傍に配置した枠材２ｂとの連結のみでよいものである。
【００２５】
ところで、着脱用外面板４ｂは固着具８を外すことで取り外してシャッタボックス５内のシャッタ巻き取り装置１１の保守、点検等ができるようになっている。この場合、着脱用外面板４ｂの端部は出し入れ用開口部６の左右両端部近傍においてガイドレール２２に設けたストッパ１０を避けるようになっていて、着脱用外面板４ｂを取り外す際にストッパ１０が邪魔にならないようにしてあるが、ストッパ１０を着脱用外面板４ｂと共にコーナ部近傍に配置した枠材２ｂに着脱自在に固着具８により取付け、着脱用外面板４ｂを取り外す際にストッパ１０を取り外すようにしてもよいものである。
【００２６】
【発明の効果】
上記のように本発明の請求項１記載の発明にあっては、シャッタボックスの下面にシャッタを出し入れするための出し入れ用開口部を形成し、少なくともシャッタボックス内の背面と上面とのなすコーナ部近傍と、前面と上面とのなすコーナ部近傍と、出し入れ用開口部近傍とに枠材を配置し、出し入れ用開口部近傍の枠材と、前面と上面とのなすコーナ部近傍に配置した枠材とを各枠材の長手方向の略中間部分において前面の外面板及び下面の外面板の内側に沿うような略Ｌ状をした振動減衰用の連結材により一体に連結してあるので、シャッタを上方に引き上げた際に出し入れ用開口部近傍に配置した枠材に作用した衝撃力を枠材の長手方向の略中間部分において振動減衰用の連結材と該連結材により一体に連結した前面と上面とのなすコーナ部近傍に配置した枠材とで分散して支持でき、簡単な構成で出し入れ用開口部近傍に配置した枠材に作用した衝撃力を枠材が長いものであっても振動を減衰させて振動音を抑制できるものであり、また、振動減衰用の連結材が前面の外面板及び下面の外面板の内側に沿うような略Ｌ状をしているので、シャッタボックス内へのシャッタ巻き取り装置の内装及びシャッタの巻き取りに支障がなく、この点でも振動音を抑制する構造が簡単となり、更に、シャッタボックス内の背面と上面とのなすコーナ部近傍と、前面と上面とのなすコーナ部近傍と、出し入れ用開口部近傍とに配置した枠材のうち、出し入れ用開口部近傍の枠材と、前面と上面とのなすコーナ部近傍に配置した枠材とを振動減衰用の連結材により一体に連結することで、振動減衰用の連結材は振動を減衰するのに必要な出し入れ用開口部近傍の枠材と、前面と上面とのなすコーナ部近傍に配置した枠材との連結でよく、この点でも振動音を抑制する構造が簡単となり、また、振動音の発生を防止するための部材費が低減でき、また、全体の重量もできるだけ重くならなず、取扱が簡単となるものである。
【００２７】
また、請求項２記載の発明にあっては、上記請求項１記載の発明の効果に加えて、振動減衰用の連結材を外面板に固着具により固着してあるので、出し入れ用開口部近傍に配置した枠材に作用した衝撃力を振動減衰用の連結材を介して外面板においても分散して支持させることができ、簡単な構成で出し入れ用開口部近傍に配置した枠材の振動をよりいっそう減衰させることができるものである。
【図面の簡単な説明】
【図１】本発明の側面断面図である。
【図２】同上の平面断面図である。
【図３】同上の図１のＸ部分の拡大断面図である。
【図４】同上の図１のＹ部分の拡大断面図である。
【図５】同上の図１のＺ部分の拡大断面図である。
【図６】同上に用いる連結材を示し、（ａ）は側面図であり、（ｂ）は正面図であり、（ｃ）は平面図である。
【図７】同上のフレーム体の斜視図である。
【図８】従来例を示す側面断面図である。
【符号の説明】
１  側板
２  枠材
３  フレーム体
４  外面板
５  シャッタボックス
６  出し入れ用開口部
７  連結材
８  固着具
【図１】
0004406168.tif 000002
【図２】
0004406168.tif 000003
【図３】
0004406168.tif 000004
【図４】
0004406168.tif 000005
【図５】
0004406168.tif 000006
【図６】
0004406168.tif 000007
【図７】
0004406168.tif 000008
【図８】
0004406168.tif 000009